(57)【要約】  光入射端（１３）と光出射端（１４）との間で光を伝達することができる長い可撓性光ファイバ素子（１２）と、光ファイバ素子の光入射端にある光源（１６）と、光源および光ファイバ素子の光入射端を支持し、光ファイバ素子の光出射端が支持される収納位置と光ファイバ素子の光出射端が収納位置から離れた動作位置にあるような延長使用位置との間で、光ファイバ素子の移動を可能にするためのリールアセンブリ（１８）と、を備えるタスクライトアセンブリ（１０）に関する。
2007517363.tif 000002
【特許請求の範囲】
【請求項１】
互いに反対側の光入射端および光出射端を有する細長い可撓性光ファイバ素子と、
前記光ファイバ素子の光入射端にある光源と、
前記光源および前記光ファイバ素子の前記光入射端を支持し、前記光ファイバ素子の前記光出射端が支持される収納位置と、前記光ファイバ素子の前記光出射端が前記収納位置から離れた動作位置にあるような延長使用位置との間での前記光ファイバ素子の移動を可能にするための手段と、を備え、
前記光源および前記光ファイバ素子の前記光入射端を支持し、前記収納位置と前記延長使用位置との間での前記光ファイバ素子を可能にするための前記手段は、リールアセンブリを備え、前記リールアセンブリは、
ハブと、前記ハブを支持部材に支持するための手段と、前記ハブに回転可能に取り付けられるリールとを備え、前記リールは、直径が少なくとも１２インチすなわち３０．５ｃｍである略円筒形の周縁面を有し、前記光源および前記光ファイバ素子の前記光入射端は前記リールアセンブリに取り付けられ、前記光ファイバ素子の長さの８０％超が前記収納位置で前記リールの周縁面に巻かれ、前記リールアセンブリは、
（１）第１の方向への回転のために前記リールを偏倚する偏倚手段であって、回転の際に、前記光ファイバ素子を前記リールの周縁面の周囲に巻き付けることができる偏倚手段と、
（２）前記偏倚手段に対抗して前記リールの周縁面の周囲から前記光ファイバ素子を解くために、第２の方向への前記リールの回転を可能にする回転手段と、
（３）前記偏倚手段に対抗して前記ハブに対して複数の位置のうちの１つで前記リールを解放可能に保持するための、前記ハブと前記リールとの間の保持手段と、を備え、前記保持手段は前記光ファイバ素子に沿って張力の付与および除去によって係合可能かつ解放可能である、タスクライトアセンブリ。
【請求項２】
前記リールの前記略円筒形の周縁面は、直径が少なくとも１８インチすなわち４５．７ｃｍである、請求項１に記載のタスクライトアセンブリ。
【請求項３】
前記支持手段は前記リールに前記光源および前記光ファイバ素子の前記光入射端を支持し、前記光源は４８ボルト以下の電圧および少なくとも５０ワットの電力で動作する白熱電球またはハロゲン電球である、請求項１に記載のタスクライトアセンブリ。
【請求項４】
前記支持手段は前記リールに前記光源および前記光ファイバ素子の前記光入射端を支持し、前記光源は２４ボルト以下の電圧および少なくとも２５０ワットの電力で動作する白熱電球またはハロゲン電球である、請求項１に記載のタスクライトアセンブリ。
【請求項５】
前記支持手段は前記リール上で前記光源および前記光ファイバ素子の前記光入射端を支持し、前記光源用の電源は前記ハブに取り付けられるスリップリングアセンブリによって供給される、請求項１に記載のタスクライトアセンブリ。
【請求項６】
前記支持手段は前記リールのフランジの外面に沿って前記光源を支持し、前記リールは開口部を有し、それを介して前記周縁面の周囲の前記光ファイバ素子の最も内側の巻きから前記リールの前記フランジの前記外面に沿った位置まで前記光入射端に隣接する前記光ファイバ素子の部分を延在させ、前記タスクライトアセンブリは前記光源に対して所定の位置で前記リールに前記光ファイバ素子の前記光入射端を解放可能に接続するためのコネクタ手段を備える、請求項１に記載のタスクライトアセンブリ。
【請求項７】
前記支持手段は前記リールのフランジの外面に沿って固定されるハウジングを備え、前記光源は前記ハウジングに取り付けられ、前記光源に対して所定の位置で前記リールに前記光ファイバ素子の前記光入射端を解放可能に接続するための前記コネクタ手段は、前記ハウジングに取り付けられる前記コネクタ手段の部分および前記光入射端に隣接する前記光ファイバ素子に取り付けられる前記コネクタ手段の部分を備える、請求項６に記載のタスクライトアセンブリ。
【請求項８】
前記光ファイバ素子は、約１０〜１４ｍｍの範囲の直径を有する、請求項１に記載のタスクライトアセンブリ。
【請求項９】
前記光ファイバ素子は、少なくとも約１５フィートすなわち４．５ｍの長さを有する、請求項１に記載のタスクライトアセンブリ。
【請求項１０】
所定のパターンで前記光ファイバ素子からの光を分散するための手段を、前記光ファイバ素子の前記光出射端にさらに備える、請求項１に記載のタスクライトアセンブリ。
【発明の詳細な説明】
【技術分野】
【０００１】
本発明は、作業領域を照らすために容易に移動することができる光源（本願明細書では「タスクライト」と呼ぶ）に関する。
【背景技術】
【０００２】
作業領域における周辺照明（たとえば、自動車の下面またはエンジンルーム）が不十分である場合には、その作業領域をタスクライトによって照らすことができる。一般に用いられるタスクライトとしては、白熱電球または蛍光灯および懐中電灯を含む配電システムから電力が供給される携帯型照明器具（「トラブルライト」と呼ばれることもある）が挙げられる。白熱電球は、有向光源を提供することができるが、使用中に熱くなるため、熱感知材料を焼損したりタスクライトの使用者に火傷を負わせたりする恐れがある。また、そのような電球のフィラメントは、わずかな衝撃であっても破損する恐れがある。蛍光灯は、白熱電球より熱の発生が少なく、耐衝撃性では勝るが、蛍光灯の生成する光は拡散しやすく、白熱電球ほど作業領域に光を向けることができない。懐中電灯は、有向光源を提供するが、電池の交換または再充電を頻繁に行う必要がある。特殊な設計を施さない限り、このようなタスクライトはすべて、作業領域における可燃性蒸気の点火源となる恐れがある。
【発明の開示】
【発明が解決しようとする課題】
【０００３】
本発明は、有向光源を提供し、使用中に熱くならず、衝撃によって破損することがなく、作業領域における可燃性蒸気の点火源とならないようなタスクライトを提供する。
【課題を解決するための手段】
【０００４】
本発明によれば、その第１の端と第２の端との間で光を伝達することができる長い可撓性光ファイバ素子と、光ファイバ素子の第１の端または光入射端にある光源と、光源および光ファイバ素子の光入射端を支持し、光ファイバ素子の第２の端または光出射端が支持される収納位置と、光ファイバ素子の光出射端が収納位置から離れた動作位置にあるような延長使用位置との間で光ファイバ素子の移動を可能にするための手段と、を備えるタスクライトアセンブリが提供される。
【０００５】
光源および光ファイバ素子の光入射端を支持し、その収納位置と使用位置との間で光ファイバ素子の移動を可能にするための手段は、リールアセンブリによって提供される。リールアセンブリは、ハブと、支持部材の上でハブを支持するための手段と、ハブの上で回転するために取り付けられるリールと、を備える。光源および光ファイバ素子の光入射端は、リールアセンブリに取り付けられ、光ファイバ素子の長さの８０％超が収納位置におけるハブの略円筒形の周縁面の周囲に巻かれる。リールの周縁面の周囲に巻き付けられるときに、光ファイバ素子の曲率を制限し、それによって、光の漏れを生じ、場合によっては光ファイバ素子を破損する恐れがあるような素子の鋭い屈曲を制限するために、ハブのそのような略円筒形の周縁面は、直径が少なくとも１２インチすなわち３０．５ｃｍである必要があり、少なくとも１８インチすなわち４５．７ｃｍであれば好ましい。リールアセンブリは、（１）第１の方向への回転のためにリールを偏倚させるための偏倚手段であって、回転の際に、光ファイバ素子をリールの周縁面の周囲に巻き付けることができる偏倚手段と、（２）偏倚手段に対抗してリールの周縁面の周囲から光ファイバ素子を解くために、第２の方向へのリールの回転を可能にするための回転手段と、（３）偏倚手段に対抗してハブに対して複数の位置のうちの１つでリールを解放可能に保持するための、ハブとリールとの間の保持手段と、を備え、保持手段は光ファイバ素子に沿って張力の付与および除去によって係合可能かつ解放可能である。
【０００６】
ハブは、たとえば、自動車修理工場で高い位置にある場合がある支持部材に取り付け可能である。そのような工場の作業員は、その光出射端を光ファイバ素子の光出射端から放射する光源からの光によって照らすことができる作業位置に持っていくために必要な程度まで、リールの周囲から光ファイバ素子を引き抜くことができる。照らされる作業領域に可燃性蒸気用の点火源を配置することなく、そのような照明が設けられる。光ファイバ素子の光出射端によって照らされる領域の形状およびサイズは、所望であれば、米国特許第５，６３１，９９４号明細書（アペルドーン（Ａｐｐｅｌｄｏｒｎ）ら）、米国特許第５，８４５，０３８号明細書（ランディン（Ｌｕｎｄｉｎ）ら）、米国特許第６，２５９，８５５号明細書（ランディン（Ｌｕｎｄｉｎ）ら）、米国特許第６，２６７，４９２号明細書（レイド（Ｒｅｉｄ）ら）、米国特許第６，３６７，９４１号明細書（リー（Ｌｅａ）ら）、米国特許第６，５３５，６６７号明細書（ゴズム（Ｇｏｚｕｍ）ら）および米国特許第６，６１２，７２９号明細書（ホフマン（Ｈｏｆｆｍａｎ））に記載されているような光抽出デバイスまたは機構を用いて改変することができる。
【０００７】
光源は、白熱電球またはハロゲン電球であってもよく、支持手段はリールにその光源および光ファイバ素子の光入射端を支持することができる。リールの周縁面の周囲で光ファイバ素子を解いたり巻き直したりする間、リールが急激に回転し始めたり止まったりするときに、電球のフィラメントの断線を制限するために、電球は４８ボルト未満の電圧および少なくとも５０ワット以上の電力で動作するタイプであってもよい（２４ボルト以下の電圧および２５０ワット以上の電力で動作するものであれば好ましい）。これは、そのような電球のフィラメントは、１１０ボルトで動作する通常の電球より断線することなく、著しく大きな衝撃に耐えることができるためである。
【０００８】
本発明は添付図面を参照してさらに説明され、類似の参照符号は複数の図面を通じて類似の部品または対応する部品を指す。
【発明を実施するための最良の形態】
【０００９】
ここで図を参照すると、全体として参照符号１０によって表される本発明によるタスクライトアセンブリが示されている。一般に、タスクライトアセンブリ１０は、その第１の（光入射）端１３と第２の（光出射）端１４との間で光を伝達することができる細長い可撓性光ファイバ素子１２と、光ファイバ素子１２の第１の端または光入射端１３にある光源１６と、光源１６および光ファイバ素子１２の光入射端１３を支持し、光ファイバ素子１２の第２の端または光出射端１４が支持される収納位置と光ファイバ素子１２の光出射端１４が収納位置から離れた動作位置にあるような延長使用位置との間で光ファイバ素子１２の移動を可能にするための手段と、を備える。
【００１０】
タスクライトアセンブリ１０において、光源１６および光ファイバ素子１２の光入射端１３を支持し、その収納位置と使用位置との間で光ファイバ素子１２の移動を可能にするための手段は、リールアセンブリ１８を備える。リールアセンブリ１８は、軸方向に延在する貫通開口部を有するハブ２０と、支持部材２２の上でハブ２０を支持するための取り付けブラケット１９の形の手段と、ハブ２０の上で回転するために取り付けられるリール２４と、リール２４から光ファイバ素子１２を案内するため、またはリール２４の上に光ファイバ素子１２を案内するために、光ファイバ素子１２が中を通って延在するローラが並んだオリフィスを有する案内部材２１と、を備える。案内部材２１のオリフィスを通過しない止め部材１７は、その光出射端１４から短い距離で光ファイバ素子１２の周囲に締め付けられる。止め部材１７と案内部材２１との間の接触により光ファイバ素子１２の収納位置を画定し、その位置では利用者は、リール２４から光ファイバ素子１２を引き出すために、その光出射端１４と止め部材１７との間の光ファイバ素子１２の短い長さ部分を把持することができる。
【００１１】
光源１６および光ファイバ素子１２の光入射端１３は、リール２４に取り付けられる。光ファイバ素子１２の収納位置では、素子１２の長さの８０％超が、リール２４の略円筒形周縁面２５の周囲に巻かれる（図３参照）。リール２４の円形側面フランジ２３の周縁部分は、周縁面２５の互いに反対側の側面を越えて突出する。リール２４の周縁面２５は、光ファイバ素子１２が周縁面２５の周囲に巻き付けられたときに大きい曲率半径を有するように、直径が少なくとも１２インチすなわち３０．５ｃｍであり、少なくとも１８インチすなわち４５．７ｃｍであれば好ましい。それによって、光の漏れを生じ、場合によっては光ファイバ素子１２を破損する恐れがあるような素子１２の鋭い屈曲が制限される。
【００１２】
リールアセンブリ１８は、（１）第１の方向（図１で見た場合、反時計周り）への回転のために、リールを偏倚させるためにハブ２０とリール２４との間にあり、回転の際に、光ファイバ素子１２をリール２４の周縁面２５の周囲に巻き付けることができるばね手段と、（２）偏倚手段に対抗してリール２４の周縁面２５の周囲から光ファイバ素子１２を解くために、第２の方向（図１で見た場合、時計周り）へのリール２４の回転を可能にするための回転手段と、（３）偏倚手段に対抗してハブ２０に対して複数の位置のうちの１つでリール２４を解放可能に保持するための、ハブ２０とリール２４との間の保持手段と、を備え、保持手段は光ファイバ素子１２に沿って張力の付与および除去によって係合可能かつ解放可能である。そのようなばね手段、リール２４の回転を可能にするための回転手段および保持手段は、リールアセンブリ業界では公知であり、本願明細書には詳細に記載しない。そのような手段を含む適切なリールアセンブリ１８は、ノースカロライナ州シャーロット（Ｃｈａｒｏｌｏｔｔｅ，ＮＣ）のアレマイト・コーポレーション（Ａｌｅｍｉｔｅ  Ｃｏｒｐｏｒａｔｉｏｎ）から市販され、アレマイト・コーポレーション（Ａｌｅｍｉｔｅ  Ｃｏｒｐｏｒａｔｉｏｎ）から市販されている「サービス・ガイド（Ｓｅｒｖｉｃｅ  Ｇｕｉｄｅ）」、ＳＥＲ  ７２３４−Ｂ  改訂版（７−９７）という名称の文書に記載されている「へヴィー・デューティー・ホース・リール（Ｈｅａｖｙ  Ｄｕｔｙ  Ｈｏｓｅ  Ｒｅｅｌ））のモデル７２３５−Ｂを改変することによって製作されることができる。本発明で用いるための「へヴィー・デューティー・ホース・リール（Ｈｅａｖｙ  Ｄｕｔｙ  Ｈｏｓｅ  Ｒｅｅｌ））モデル７２３５−Ｂの改変は、部品番号３９３５３９−９９の「スウイヴェル・アセンブリ、中圧用（Ｓｗｉｖｅｌ  Ａｓｓｅｍｂｌｙ，Ｍｅｄｉｕｍ−Ｐｒｅｓｓｕｒｅ）」を除去して廃棄することと、そのリールを変更または交換することを含むものとし、光ファイバ素子１２が巻き付けられる直径が少なくとも１２インチすなわち３０．５ｃｍ、好ましくは少なくとも１８インチすなわち４５．７ｃｍの略円筒形の周縁面２５を有するリール２４を形成する。そのような面２５はリール２４のフランジ２３（図３参照）の間で延在する円筒板２６によって形成され、板２６は開口部２７を有し、その開口部２７を通って、円筒形の周縁面２５を中心にして光ファイバ素子１２の最も内側の巻きからその光入射端１３に隣接する光ファイバ素子１２の端部分を円滑に延在させる。そのような端部分は、パッド付きホースクランプ２８によってフランジ２３の一方の内面に装着され、そのフランジ２３の細長いスロット２９を通ってそのフランジ２３の外面まで延在する。細長い略円筒形の金属スリーブ３０は、スリーブ３０の内側に突出する止めねじ３１（図４参照）によってその端部分に固定され、スリーブ３０の端３２が光ファイバ素子１２の光入射端１３と一直線を成している。スリーブ３０は、その端３２から短い距離だけ離隔されたその周縁部の周囲に環状凹部３４を有する。その端３２に隣接するスリーブ３０の一部は、光源１６が収容されるハウジング３８の側面に固定されるカラー３６に解放可能に係合するように構成される。ばね式止め球３７が、カラー３６の中に取り付けられ、カラー３６のスリーブ３０を解放可能に保持するために、スリーブ３０が所定の位置でカラー３６に係合されるとき、スリーブ３０の環状凹部３４と係合し、光ファイバ素子１２の光入射端１３はハウジング３８の光源１６に対して所定の位置にくる。
【００１３】
ハウジング３８内の光源１６は、リール２４と共に移動するハロゲン電球４０を備える。リール２４の周縁面２５の周囲で光ファイバ素子１２を解いたり巻き直したりする間、リール２４が急激に回転し始めたり止まったりするときに、電球４０のフィラメントの断線を制限するために、電球４０は４８ボルト以下（たとえば４８ボルト、２４ボルトまたは１２ボルト）の電圧および少なくとも５０ワット以上（たとえば、１５０〜２５０ワット）の電力で動作するタイプである。これは、そのような電球のフィラメントは、１１０ボルトで動作する通常の電球よりも著しく大きな衝撃に断線することなく耐えることができるためである。そのような電圧の電力は、降圧変圧器またはスイッチング電源４２によって、従来の１１０ボルト電源から電球４０に供給される。そのような電力は、ハブ２０の一端に取り付けられるハウジング４４内に固定される第１の部品と、ハウジング４４の中でそのような固定された部品に対して回転可能な第２の部品と、を備えるスリップリングアセンブリ４３によって電球４０に接続される。それらの部品の一方は他方の部品の同心環状スリップリングに対して偏倚した電気接点を有するため、降圧変圧器またはスイッチング電源４２とハウジング４４の中で固定される第１の部品との間で延在する電線４１は、リール２４と共に回転しないが、回転可能な部品と電球４０との間でハブ２０の軸方向に延在する開口部を通って延在する電線４５はリール２４と共に回転する。この用途向けの適切なスリップリングアセンブリ４３は、カリフォルニア州カールズバッド（Ｃａｒｌｓｂａｄ，Ｃａｌｉｆｏｒｎｉａ）のメルコタック・インコーポレイテッド（Ｍｅｒｃｏｔａｃ  Ｉｎｃ．）から入手可能な市販の「モデル３３０（ｍｏｄｅｌ  ３００）」スリップリングアセンブリである。電球４０用の冷却ファン４６が、ハウジング３８の一端で取り付けられる（たとえば、ドイツのザンクト・ゲオルゲン（Ｓｔ．Ｇｅｏｒｇｅｎ，Ｇｅｒｍａｎｙ）にあるパプスト・モトーレン（Ｐａｐｓｔ  Ｍｏｔｏｒｅｎ）から入手可能な市販の「ＴＹＰ  ８５００Ｎ」の２４ボルト冷却ファン）。ハウジング３８は、電球４０の周囲でファン４６からの空気の移動を容易にする複数の開口部４７を有する。電球４０は、熱遮断および吸収ガラスフィルタシート５０を介して、電球４０からの光を光ファイバ素子１２の光入射端１３に集束する反射体４８を備えるか、またはこのような反射体４８と共に用いられる。熱遮断および吸収ガラスフィルタシート５０は、反射体４８および電球４０も収容して位置決めするブラケット５２の突出部５１によって、所定の位置で保持および偏倚される。一例として、電球４０および反射体４８は、カリフォルニア州サイプレス（Ｃｙｐｒｅｓｓ，Ｃａｌｉｆｏｒｎｉａ）のウシオ・アメリカ・インコーポレイテッド（Ｕｓｈｉｏ  Ａｍｅｒｉｃａ，Ｉｎｃ．）からＭＲ−１６サイズで市販されている一体型反射体を備えた２４ボルトかつ２５０ワットのハロゲン電球であってもよい。光ファイバ素子１２の光入射端１３の上に正確に（たとえば、電球４０から約５ｃｍで）集束される一体型反射体を備えた１５０〜２５０ワットの範囲のそのようなハロゲン電球４０は、光��ァイバ素子１２の光出射端１４に従来のタスクライティングシステムからの光出力を超え得る光出力を提供することができる。
【００１４】
光ファイバ素子１２は、種々の異なる市販の光ファイバ材料から製作されることができる。光ファイバ素子１２は複数のファイバから形成されることが可能であるが、光ファイバ素子１２は単一の中実コアファイバ（たとえば、（メタ）アクリルポリマーからなる）であることが好ましく、同一材料の複数のファイバから形成される光ファイバ素子１２より単位直径当たりの光伝送能力が著しく高い。米国特許第６，５３５，６６７号明細書にさらに記載されたように、光ファイバ素子１２を形成する１つまたは複数のファイバは、１つまたは複数のファイバの中で光を保持するのを助けるために、光ファイバのコアを構成する材料より屈折率が低い適切なポリマー材料（たとえば、フッ化エチレンプロピレン、ＦＥＰと略記されることが多い）からなる外部クラッディング層を有するものとし、１つまたは複数のファイバは、光ファイバ素子１２の使用中の摩擦から１つまたは複数のファイバおよびそのクラッディングを保護するために、外層または外装（たとえばポリエチレンまたはＰＶＣからなる）を任意に有することができる。光ファイバ素子１２は、約１０〜１４ｍｍの直径と、長さ（少なくとも約１５フィートすなわち４．５ｍ、たとえば約５０フィートすなわち１５ｍ）とを有するものとし、リール２４と光が必要とされる作業領域との間に容易に達するのに適しているものとする。直径が約１２ｍｍの光ファイバ素子１２の場合には、光搬送能力と扱いやすさの両方を兼ね備えている。タスクライトアセンブリ１０に用いるのに適した光ファイバ素子１２用の材料は、オーストラリアのバーレー（Ｂｕｒｌｅｉｇｈ，Ａｕｓｔｒａｌｉａ）にあるポリ・オプティックス・オーストラリア・プロプライエタリ・リミテッド（Ｐｏｌｙ  Ｏｐｔｉｃｓ  Ａｕｓｔｒａｌｉａ  Ｐｔｙ．Ｌｔｄ．）から市販されている。
【００１５】
所定のパターンで光ファイバ素子１２からの光を分散するための手段を、光ファイバ素子の光出射端１４に設けることができる。たとえば、直径のより小さな光ファイバ素子が小さな空間に光を提供するために有用である場合、または２つ以上の光ファイバ素子が作業位置の個別の部品を照らすために有用である場合には、そのより小さな直径の光ファイバ部材またそれらの光ファイバ素子は、光ファイバ素子１２の隣接する端およびそのような１つまたは複数の素子を共に保持するように構成された除去可能な結合器によって、光ファイバ素子１２の光出射端１４に装着されることができる。また、光ファイバ素子１２の端ではなく、または光ファイバ素子１２の端に加えて、光ファイバ素子の１つ以上の側面から半径方向に発せられる光が所望である場合には、そのような半径方向に発せられる光を生じる抽出素子を備えた特製の光ファイバ素子が、同一の態様で光ファイバ素子の光出射端１４に装着されることができる。また、光ファイバ素子１２からの光を集束するためのレンズなどの種々の他の光学素子のいずれかを、類似の態様でその光出射端１４に装着することができる。光ファイバ素子１２の光出射端１４によって照らされる領域の形状およびサイズは、米国特許第５，６３１，９９４号明細書（アペルドーン（Ａｐｐｅｌｄｏｒｎ）ら）、米国特許第５，８４５，０３８号明細書（ランディン（Ｌｕｎｄｉｎ）ら）、米国特許第６，２５９，８５５号明細書（ランディン（Ｌｕｎｄｉｎ）ら）、米国特許第６，２６７，４９２号明細書（レイド（Ｒｅｉｄ）ら）、米国特許第６，３６７，９４１号明細書（リー（Ｌｅａ）ら）、米国特許第６，５３５，６６７号明細書（ゴズム（Ｇｏｚｕｍ）ら）および米国特許第６，６１２，７２９号明細書（ホフマン（Ｈｏｆｆｍａｎ））に記載されているような光抽出素子、デバイスまたは機構を用いて改変することができる。
【００１６】
ハブ２０は、たとえば、自動車修理工場で高い位置（たとえば床上１．８ｍ（６フィート）を超える高さ）に位置し得る支持部材２２などの支持部材に取り付け可能である。そのような工場の作業員は、光ファイバ素子１２の光出射端１４から放射する光源１６からの光によって照らすことができる動作位置に光出射端１４を持っていくために必要な程度まで、リール２４の周囲から光ファイバ素子１２を引き抜くことができる。照らされる作業領域に可燃性蒸気用の点火源を配置することなく、そのような照明が設けられる。
【００１７】
本発明は、一実施形態を参照してここでは説明してきた。本発明の範囲を逸脱することなく、記載された実施形態において、さまざまな変更を行うことができることは当業者には明白であろう。たとえば、光が２つ以上の離隔された作業位置で通常必要とされる状態で有用であると考えられるように、たとえば、同一の光源または個別の光源からの光をそれぞれ受光する２つ以上の個別の光ファイバ素子を、リールの周囲に巻き付けることができる。また、リールのハブに光源を取り付けて、従来の１１０ボルト電球を含む光源の使用を可能にし、次に、ハブにおいて光ファイバ素子の小さい部分とリールの周囲またはリールから延在する光ファイバ素子の大きい部分との間に、回転結合を設けることが可能である。また、光源は、白熱電球またはハロゲン電球ではなく、発光ダイオードまたは放電デバイスを備えることも可能である。または、用いられる電球は、ハロゲンタイプではなく、メタルハライドタイプであってもよい。そのようなメタルハライド電球は、ハロゲン電球より少ない熱で、より多くの白色光を生成するが、メタルハライド電球および関連電子機器の費用は、ハロゲンシステムよりコスト効率が芳しくない。したがって、本発明の範囲は、本願明細書に記載された構造および方法ではなく、特許請求の範囲およびその等価物の文言によって記載された構造および方法によって制限されるものとする。
【図面の簡単な説明】
【００１８】
【図１】支持部材に取り付けられているように示された本発明によるタスクライトアセンブリの第１の側面の斜視図である。
【図２】支持部材に取り付けられているように示された図１のタスクライトアセンブリの第１の側面に対向する第２の側面の斜視図である。
【図３】図２の線３−３に概ね沿った部分断面図である。
【図４】図１の線４−４に概ね沿った拡大部分断面図である。
【図１】
2007517363.tif 000003
【図２】
2007517363.tif 000004
【図３】
2007517363.tif 000005
【図４】
2007517363.tif 000006
【国際調査報告】
2007517363.tif 000007
2007517363.tif 000008
2007517363.tif 000009